【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  データ放送局が、互いに同一性がありかつ、時間経過に応じてその内容が更新される一連のデータを予め定められた時間間隔で配信しており、かかるデータ放送局により配信されるデータに対して所定の処理を実行する端末装置であって、
前記データ放送局により配信されるデータを受信する受信部と、
前記受信部により受信されたデータの管理情報を作成し管理する管理部と、
前記管理部により管理情報が作成されたデータを記憶する記憶装置と、
ユーザにより要求されるデータを出力する参照部とを備え、
前記管理情報は、前記記憶装置に記憶されたデータを、当該記憶装置から削除するか否かを判断するための保存係数を含み、
前記管理部は、
前記記憶装置に記憶されたデータの保存係数を所定のタイミングで減少させると共に、前記参照部が出力したデータの保存係数を増加させ、
前記保存係数が所定値まで減少した時に、対応するデータを前記記憶装置から削除し、
前記記憶装置に記憶された古いデータと同一性を有しており、かつ当該記憶装置内のデータの内容を更新した新しいデータが入力された際、前記記憶装置から古いデータを削除し、
入力された新しいデータの管理情報として、前記記憶装置から削除された古いデータの管理情報を使用する、端末装置。
【請求項２】  前記管理部はさらに、
前記参照部により要求されたデータが前記記憶装置に格納されていない場合には、そのデータについて仮の管理情報を前もって作成し、
前記参照部により要求されたデータが入力された時点で、入力されたデータの管理情報として、対応する仮の管理情報を継承させることを特徴とする、請求項１に記載の端末装置。
【請求項３】  前記管理部はさらに、
ユーザにより要求されるデータと関連性を持つ関連データが前記記憶装置内に存在するか否かを判断し、
前記関連データが存在する場合には、当該関連データの保存係数を増加させる、請求項２に記載の端末装置。
【請求項４】  前記管理部は、前記ユーザにより設定された検索範囲内に、前記関連データが前記記憶装置内に存在するか否かを判断し、
前記検索範囲は、前記ユーザにより要求されたデータと前記関連データとの間のリンク数に関連して定められる、請求項３に記載の端末装置。
【請求項５】  前記管理部は、前記関連データの保存係数を、前記ユーザにより要求されたデータとの関連性の強さに基づいて増加させる、請求項３に記載の端末装置。
【請求項６】  前記管理部はさらに、
前記記憶装置内に前記関連データが存在しない場合には、当該関連データのために仮の管理情報を作成し、
前記仮の管理情報が作成された関連データが入力された時点で、当該仮の管理情報を、当該関連データの管理情報として使用する、請求項３に記載の端末装置。
【請求項７】  前記管理部はさらに、前記参照部が出力中のデータまたは関連データと同一性を有しており、かつ当該データまたは当該関連データの内容を更新した新しいデータが入力された時、入力された新しいデータを前記参照部に出力する、請求項３に記載の端末装置。
【請求項８】  前記管理部はさらに、入力された新しいデータを前記参照部に出力した後に一定時間が経過すると、前記新しいデータの直前に出力されていたデータを前記参照部に再出力する、請求項７に記載の端末装置。
【請求項９】  前記管理部はさらに、前記ユーザによる設定に基づいて、新たに入力されたデータを、前記参照部に出力しない、請求項７に記載の端末装置。
【請求項１０】  前記データ放送局により配信されるデータは、所定の符号化形式で符号化されており、
前記受信部が受信したデータを前記符号化形式に従ってデコードして、前記管理部に出力するデコード部をさらに備え、
前記デコード部および前記参照部は互いに独立して動作することを特徴とする、請求項１に記載の端末装置。
【請求項１１】  前記管理部は、前記記憶装置にデータを格納する毎に、前記データを格納したことを表す信号を生成して、前記参照部に出力する、請求項１に記載の端末装置。
【請求項１２】  前記管理部は、前記記憶装置に格納されているデータが前記参照部により出力されている間には、前記データを前記記憶装置から削除しない、請求項１に記載の端末装置。
【請求項１３】  データ放送局が、互いに同一性がありかつ、時間経過に応じてその内容が更新される一連のデータを予め定められた時間間隔で配信しており、かかるデータ放送局により配信されるデータに対して所定の処理を実行する端末装置であって、
前記データ放送局により配信されるデータを受信する受信部と、
前記受信部により受信されたデータの管理情報を作成し管理する管理部と、
前記管理部により管理情報が作成されたデータを記憶する記憶装置と、
ユーザにより要求されるデータを出力する参照部とを備え、
前記管理情報は、前記記憶装置に記憶されたデータを、当該記憶装置から削除するか否かを判断するための保存係数を含み、
前記管理部は、
前記記憶装置に記憶されたデータの保存係数を所定のタイミングで減少させると共に、前記参照部が出力したデータの保存係数を増加させ、
前記保存係数が所定値まで減少した時に、対応するデータを前記記憶装置から削除し、
前記記憶装置に記憶された古いデータと同一性を有さない新しいデータが入力された際、前記入力された新しいデータの管理情報を新たに作成する、端末装置。
【手続補正２】
【補正対象書類名】明細書
【補正対象項目名】０００７
【補正方法】変更
【補正の内容】
【０００７】
【課題を解決するための手段および発明の効果】
第１の発明は、データ放送局が、互いに同一性がありかつ、時間経過に応じてその内容が更新される一連のデータを予め定められた時間間隔で配信しており、かかるデータ放送局により配信されるデータに対して所定の処理を実行する端末装置であって、
データ放送局により配信されるデータを受信する受信部と、
受信部により受信されたデータの管理情報を作成し管理する管理部と、
管理部により管理情報が作成されたデータを記憶する記憶装置と、
ユーザにより要求されるデータを出力する参照部とを備え、
管理情報は、記記憶装置に記憶されたデータを、記憶装置から削除するか否かを判断するための保存係数を含み、
管理部は、
記憶装置に記憶されたデータの保存係数を所定のタイミングで減少させると共に、参照部が出力したデータの保存係数を増加させ、
保存係数が所定値まで減少した時に、対応するデータを記憶装置から削除し、
記憶装置に記憶された古いデータと同一性を有しており、かつ記憶装置内のデータの内容を更新した新しいデータが入力された際、記憶装置から古いデータを削除し、
入力された新しいデータの管理情報として、記憶装置から削除された古いデータの管理情報を使用することを特徴とする。
【手続補正３】
【補正対象書類名】明細書
【補正対象項目名】００１０
【補正方法】変更
【補正の内容】
【００１０】
第２の発明は第１の発明に従属しており、管理部はさらに、
参照部により要求されたデータが記憶装置に格納されていない場合には、そのデータについて仮の管理情報を前もって作成し、
参照部により要求されたデータが自身に入力された時点で、入力されたデータの管理情報として、対応する仮の管理情報を継承させることを特徴とする。
【手続補正４】
【補正対象書類名】明細書
【補正対象項目名】００１２
【補正方法】変更
【補正の内容】
【００１２】
第３の発明は第２の発明に従属しており、管理部はさらに、
ユーザにより要求されるデータと関連性を持つ関連データが記憶装置内に存在するか否かを判断し、
関連データが存在する場合には、関連データの保存係数を増加させることを特徴とする。
【手続補正５】
【補正対象書類名】明細書
【補正対象項目名】００１４
【補正方法】変更
【補正の内容】
【００１４】
第４の発明は第３の発明に従属しており、管理部は、ユーザにより設定された検索範囲内に、関連データが記憶装置内に存在するか否かを判断し、
検索範囲は、ユーザにより要求されたデータと関連データとの間のリンク数に関連して定められることを特徴とする。
【手続補正６】
【補正対象書類名】明細書
【補正対象項目名】００１６
【補正方法】変更
【補正の内容】
【００１６】
第５の発明は第３の発明に従属しており、管理部は、関連データの保存係数を、ユーザにより要求されたデータとの関連性の強さに基づいて増加させることを特徴とする。
【手続補正７】
【補正対象書類名】明細書
【補正対象項目名】００１８
【補正方法】変更
【補正の内容】
【００１８】
第６の発明は第３の発明に従属しており、管理部はさらに、
記憶装置内に関連データが存在しない場合には、関連データのために仮の管理情報を作成し、
仮の管理情報が作成された関連データが入力された時点で、仮の管理情報を、関連データの管理情報として使用することを特徴とする。
【手続補正８】
【補正対象書類名】明細書
【補正対象項目名】００２０
【補正方法】変更
【補正の内容】
【００２０】
第７の発明は第３の発明に従属しており、管理部はさらに、参照部が出力中のデータまたは関連データと同一性を有しており、かつデータまたは関連データの内容を更新した新しいデータが入力された時、入力された新しいデータを参照部に出力することを特徴とする。
【手続補正９】
【補正対象書類名】明細書
【補正対象項目名】００２２
【補正方法】変更
【補正の内容】
【００２２】
第８の発明は第７の発明に従属しており、管理部はさらに、入力された新しいデータを参照部に出力した後に一定時間が経過すると、新しいデータの直前に出力されていたデータを参照部に再出力することを特徴とする。
【手続補正１０】
【補正対象書類名】明細書
【補正対象項目名】００２４
【補正方法】変更
【補正の内容】
【００２４】
第９の発明は第７の発明に従属しており、管理部はさらに、ユーザによる設定に基づいて、新たに入力されたデータを参照部に出力しないことを特徴とする。
【手続補正１１】
【補正対象書類名】明細書
【補正対象項目名】００２６
【補正方法】変更
【補正の内容】
【００２６】
第１０の発明は第１の発明に従属しており、データ放送局により配信されるデータは、所定の符号化形式で符号化されており、
受信部が受信したデータを符号化形式に従ってデコードして、管理部に出力するデコード部をさらに備え、
デコード部および参照部は互いに独立して動作することを特徴とする。
【手続補正１２】
【補正対象書類名】明細書
【補正対象項目名】００２８
【補正方法】変更
【補正の内容】
【００２８】
第１１の発明は第１の発明に従属しており、管理部は、記憶装置にデータを格納する毎に、データを格納したことを表す信号を生成して、参照部に出力することを特徴とする。
【手続補正１３】
【補正対象書類名】明細書
【補正対象項目名】００３０
【補正方法】変更
【補正の内容】
【００３０】
第１２の発明は第１の発明に従属しており、管理部は、記憶装置に格納されているデータが参照部により出力されている間には、データを記憶装置から削除しないことを特徴とする。
【手続補正１４】
【補正対象書類名】明細書
【補正対象項目名】００３２
【補正方法】変更
【補正の内容】
【００３２】
第１３の発明は、データ放送局が、互いに同一性がありかつ、時間経過に応じてその内容が更新される一連のデータを予め定められた時間間隔で配信しており、かかるデータ放送局により配信されるデータに対して所定の処理を実行する端末装置であって、
データ放送局により配信されるデータを受信する受信部と、
受信部により受信されたデータの管理情報を作成し管理する管理部と、
管理部により管理情報が作成されたデータを記憶する記憶装置と、
ユーザにより要求されるデータを出力する参照部とを備え、
管理情報は、前記記憶装置に記憶されたデータを、当該記憶装置から削除するか否かを判断するための保存係数を含み、
管理部は、
記憶装置に記憶されたデータの保存係数を所定のタイミングで減少させると共に、参照部が出力したデータの保存係数を増加させ、
保存係数が所定値まで減少した時に、対応するデータを記憶装置から削除し、
記憶装置に記憶された古いデータと同一性を有さない新しいデータが入力された際、入力された新しいデータの管理情報を新たに作成することを特徴とする。
【手続補正１５】
【補正対象書類名】明細書
【補正対象項目名】００３７
【補正方法】変更
【補正の内容】
【００３７】
端末装置１は、マルチメディアデータに対して下記の処理を実行する。端末装置１は、受信した多重化信号からマルチメディアデータを分離する。マルチメディアデータはエンコードされているので、端末装置１は、分離されたマルチメディアデータをデコードする。端末装置１は、マルチメディアデータを記憶すると共に、必要に応じて各マルチメディアデータを出力する。出力されたマルチメディアデータのテキストや画像は、端末装置１のユーザにより参照される。端末装置１は、以上の処理を実行すべく、図１のように、チューナー１１と、デコーダ１２と、内部にテーブル１３を保持するファイルマネージャ１４と、記憶装置１５と、ブラウザ１６とを備える。なお、チューナー１１、デコーダ１２、ファイルマネージャ１４、記憶装置１５およびブラウザ１６は、請求項における受信部、デコード部、管理部、記憶装置および参照部の一例である。
【手続補正１６】
【補正対象書類名】明細書
【補正対象項目名】００８７
【補正方法】変更
【補正の内容】
【００８７】
次に、上述と同様に、時間帯ＴＢ2 に配信されたＴｏｐｉｃ．ｈｔｍｌ等が、午前９時１９分直前から順次的に端末装置１に到着すると仮定する。新たに到着したＴｏｐｉｃ．ｈｔｍｌは、既に格納されている古いＴｏｐｉｃ．ｈｔｍｌと同一性を持つ。ただし、上述と異なるのは、現時点で、テーブル１３は、図１６（ａ）に示すようなＴｏｐｉｃ．ｈｔｍｌの管理情報を保持する点である。つまり、現時点で、古いＴｏｐｉｃ．ｈｔｍｌはユーザにより参照されており、その参照フラグの値Ｎ1 が「１」である。この仮定に従うと、新しいＴｏｐｉｃ．ｈｔｍｌが入力されると、古いＴｏｐｉｃ．ｈｔｍｌの管理情報が処理対象として選択される（図５；ステップＳ５１，５１１）。その参照フラグの値Ｎ1 は「１」であり（ステップＳ５１２）、古いＴｏｐｉｃ．ｈｔｍｌが参照中である。そのため、管理情報の継承処理、つまりステップＳ５１３〜Ｓ５１７を行うことができない。なぜなら、ステップＳ５１７において、ユーザが参照中の古いＴｏｐｉｃ．ｈｔｍｌが削除されてしまうからである。